(57)【特許請求の範囲】
【請求項１】
管理機の機体後部から後下方に突出して配置し、該管理機の走行に抵抗を付与する抵抗棒に取り付けられる培土板であって、該培土板は、前記抵抗棒の前上部に上下位置調節可能に固定するための固定部と、前記抵抗棒の後下部に上下方向に嵌挿するための嵌挿孔を備えることを特徴とする培土板。
【請求項２】
前記固定部は、側方を開放したブラケットより構成し、該ブラケットに抵抗棒の上部を側方より嵌合して固定部材により固定することを特徴とする請求項１に記載の培土板。
【請求項３】
前記培土板は、前記固定部と前記嵌挿孔を備えて抵抗棒に取り付けたときに前上部から後下部へ延設される前面板と、該前面板の両側から後外側方へ延設される左右の側板と、該側板の上部の外側面から側方へ突設し、かつ、斜め後下方へ延設される上面鎮圧側板とを備えることを特徴とする請求項１に記載の培土板。
【発明の詳細な説明】
【技術分野】
【０００１】
本発明は、管理機に取り付ける培土板に関し、詳しくは、管理機の後部に配置する抵抗棒に取り付ける培土板の技術に関する。
【背景技術】
【０００２】
従来から、機体上にエンジンを配置するとともに、機体の上下方向に設けたミッションケースの下部に耕耘軸を横架し、該耕耘軸に複数の耕耘爪を取り付けて、走行輪と兼用して耕耘作業とともに前進するようにした歩行型管理機がある。この歩行型管理機は機体の後部に抵抗棒を設けて、耕耘爪が回転するときに前記抵抗棒を土中に押し込んで、前進走行の際に抵抗を与えて、耕耘爪が土中に食い込むようにすることで耕耘するように構成していた。そして、この抵抗棒を取り外して培土器を取り付けて、畝立て作業ができるようにした技術は公知となっている（例えば、特許文献１）。
この従来技術は、機体後部にヒッチ（作業機取付体）を設け、該ヒッチに側面視略「へ」字状に構成した抵抗棒の上端を挿入し、該ヒッチと抵抗棒をピンにより固定していた。そして、畝立て作業を行う場合には、ピンを外して抵抗棒を外し、培土器の前上方に突設した支持杆をヒッチに挿入してピンにより固定する構成としていた。
【特許文献１】特開２００３−２８４４０１号公報
【発明の開示】
【発明が解決しようとする課題】
【０００３】
しかし、前記技術では、畝立て作業を行うには培土器自体と抵抗棒を着脱しなければならず、培土器が大きい場合には重く着脱作業に労力を必要とする。また、外した抵抗棒は紛失しやすく、培土器は畝立て作業以外の時は保管にスペースを必要としていた。更に、従来の培土器は管理機に対して高さを変更することは可能であったが、同じ培土器の高さのままで走行抵抗を変更できなかったため、大きな土の塊が存在する、つまり、耕耘不足のままで畝立て作業が行われることがあった。
そこで本発明は、管理機の機体後部に取り付けられる抵抗棒に培土板を容易に着脱可能に構成するとともに、培土板の高さも容易に調節できるようにし、培土板装着時の走行抵抗も変更可能に構成するものである。
【課題を解決するための手段】
【０００４】
本発明の解決しようとする課題は以上の如くであり、次にこの課題を解決するための手段を説明する。
即ち、請求項１においては、管理機の機体後部から後下方に突出して配置し、該管理機の走行に抵抗を付与する抵抗棒に取り付けられる培土板であって、該培土板は、前記抵抗棒の前上部に上下位置調節可能に固定するための固定部と、前記抵抗棒の後下部に上下方向に嵌挿するための嵌挿孔を備えるものである。
請求項２においては、前記固定部は、側方を開放したブラケットより構成し、該ブラケットに抵抗棒の上部を側方より嵌合して固定部材により固定するものである。
請求項３においては、前記培土板は、前記固定部と前記嵌挿孔を備えて抵抗棒に取り付けたときに前上部から後下部へ延設される前面板と、該前面板の両側から後外側方へ延設される左右の側板と、該側板の上部の外側面から側方へ突設し、かつ、斜め後下方へ延設される上面鎮圧側板とを備えるものである。
【発明の効果】
【０００５】
本発明の効果として、以下に示すような効果を奏する。
請求項１の如く構成したので、培土板は抵抗棒に容易に着脱可能とされ、該抵抗棒の前上部と後下部の二点で支持されて、取り付けられ、作業中も安定して抵抗棒に保持される。また、培土板には管理機の作業機取付体に装着するための支持杆が不要となるため、コンパクトに構成されて、軽量化を図ることができる。そして、培土板は上下に位置調整して抵抗棒に固定できるため、抵抗棒の下端が培土板の底面より突出する長さを調節して、走行抵抗を調節することができ、圃場の土の硬軟に合わせて培土板による溝深さや耕耘による土の砕土状態を調節することができる。
請求項２の如く構成したので、前記効果に加えて、抵抗棒に対して、培土板の固定部を側方より嵌合して固定できるため、作業時に前後方向にかかる力を確実に受け止めることができるとともに、抵抗棒の下から培土板を取り付ける必要がなくなり、管理機を持ち上げることなく簡単に培土板を取り付けることができる。
請求項３の如く構成したので、前記効果に加えて、培土板の前面板は抵抗棒に沿って上下方向に移動させて高さ調節ができ、側板と上面鎮圧側板とにより成形した溝の左右両側上部を固く押さえつけることができて、雨等で崩れることを防止できる。
【発明を実施するための最良の形態】
【０００６】
次に、本発明の作業機装着装置の実施の形態を説明する。
図１は本発明の培土板を抵抗棒に装着した管理機の全体側面図、図2は本発明の抵抗棒に装着した培土板の側面断面図、図3は同じく後方斜視図、図４は本発明の培土板で形成した溝を示す断面図である。
【０００７】
まず、管理機１に作業機として本発明の培土板１３を取り付けた実施の形態を説明する。
図１において、管理機１は機体フレーム２上にエンジン３を搭載し、該機体フレーム２の左右中央部にミッションケース４が立設され、該ミッションケース４の上部と前記エンジン３の間に伝動ケース５を配設して、動力を伝達可能としている。ミッションケース４の下部には耕耘軸６が左右方向に横架され、該耕耘軸６上に耕耘爪７・７・・・が放射状に植設されて、走行輪を兼用する耕耘装置が形成されている。
【０００８】
前記ミッションケース４の上部にハンドル８の基部が固設され、該ハンドル８は斜め後上方に突設されて、該ハンドル８の後部にグリップを形成して、クラッチレバーやアクセルレバー等を配設している。前記エンジン３の上部には燃料タンク９が配設され、機体フレーム２の前部にバンパー１０が配設されている。
【０００９】
また、前記機体フレーム２の後部またはミッションケース４の後部に作業機取付体（ヒッチ）１１を設け、該作業機取付体１１に作業機が装着可能に構成されている。本実施例では抵抗棒１２を取り付けて、該抵抗棒１２に作業機として培土板１３を装着している。なお、抵抗棒１２の代わりに、犂や成形板やレーキ等の作業機や尾輪等を取り付けることもできる。
【００１０】
前記作業機取付体１１は前部に管理機１の本機側に取り付けるための本機固定部１１ａが形成され、後部に作業機の支持杆を取り付けるための杆固定部１１ｂが形成されている。前記本機固定部１１ａは本実施例ではプレート状に形成してボルトまたは溶接等により機体フレーム２に固定されている。前記杆固定部１１ｂはパイプ状に形成して略鉛直方向に配設され、該杆固定部１１ｂに抵抗棒１２を取り付けている。
この取り付け構成は、本実施例では、杆固定部１１ｂの上下方向中途部にピン孔を左右方向に設け、他方、抵抗棒１２の上部にピン孔を前記杆固定部１１ｂのピン孔に合わせて開口し、前記ピン孔同士の位置を合わせてピンにより固定するようにしている。但し、この杆固定部１１ｂと抵抗棒１２の固定構造は限定するものではなく、ボルト等により固定する構成であってもよい。
【００１１】
前記抵抗棒１２は綱棒を側面視略クランク状に折り曲げて形成され、前上部を取付部１２ａとして上下方向に配置して、前記杆固定部１１ｂに挿入してピン等により固定される。該取付部１２ａの下部からは斜め後下方に延設されて延設部１２ｂが形成され、該延設部１２ｂの後端から下方に接地部１２ｃが延設される。該接地部１２ｃは取付部１２ａや延設部１２ｂに比べて短く形成されている。なお、抵抗棒１２は取付部１２ａと接地部１２ｃは前後平行に配置される構成であればよく、延設部１２ｂは傾斜しても水平方向に配置されてもよい。
【００１２】
次に本発明の培土板１３を図１、図２、図３を用いて説明する。
培土板１３は、抵抗棒１２に固定するための固定部１４と、溝を成形するための成形板１５よりなり、成形板１５は前面板２１と左右の側板２２Ｌ・２２Ｒと左右の上面鎮圧側板２３Ｌ・２３Ｒの五つの成形板を備える。
【００１３】
前記固定部１４は成形板１５の前上部に設けられる。固定部１４は板材を平面視略「コ」字状または略「Ｌ」字状に折り曲げて側方が開放されたブラケットにより構成され、固定部１４の前面が前面板２１に固設される。この「コ」字状または「Ｌ」字状に折り曲げて形成される空間に抵抗棒１２の取付部１２ａが嵌入されて固定される。
【００１４】
前記固定部１４は本実施例では平面視「コ」字状に形成されて、前面が前記前面板２１の後面上部の左右中央に溶接等により固設される。該固定部１４の後板１４ａの上下左右中央部に固定部材が配置される。本実施例では螺子孔が後板１４ａに形成されて蝶螺子１６が螺装されて、抵抗棒１２の取付部１２ａを締め付け固定できるようにしている。なお、固定部材は限定するものではなく、ボルトやピン等により構成することも可能である。
【００１５】
このような構成において、成形板１５を抵抗棒１２に取り付けるときには、抵抗棒１２の側方より成形板１５を挿し入れて、固定部１４の開放側から抵抗棒１２の取付部１２ａに嵌入させて、蝶螺子１６を締め付けて固定するのである。つまり、前記固定部１４をパイプ状に構成すると、略クランク状に形成された抵抗棒１２に下方より固定部１４を挿入することができない。本発明では、固定部１４は側方が開放された構成としているため、抵抗棒１２が略クランク状に形成されていても、抵抗棒１２への着脱が容易にできるのである。
【００１６】
次に、成形板１５の構成について説明する。
成形板１５は、前記抵抗棒１２に取り付けられる前面板２１と、該前面板２１の左右両側から斜め後外側方へ延設される左右の側板２２Ｌ・２２Ｒと、該側板２２Ｌ・２２Ｒの上部外側面より左右外方向へ突設して斜め後下方へ延設される上面鎮圧側板２３Ｌ・２３Ｒより構成される。
【００１７】
前記前面板２１は後面視略台形状に形成され略成形する溝の略断面形状に一致し、側面視で略「く」字状に折り曲げ形成され、前面板２１の上部は抵抗棒１２の上部に固定され、後下部は抵抗棒１２の下部（接地部１２ｃ）を上下方向に貫通して係合されている。即ち、前面板２１は上板部２１ａと斜板部２１ｂと底板部２１ｃとを備えて、前上部から後下部へと順に二箇所で折り曲げられる。
前記上板部２１ａは後面視略矩形状に形成した板材を側面視で上下方向に配置して、その後面左右中央部に前記固定部１４を固設している。該固定部１４が前記抵抗棒１２の取付部１２ａに固定され、該抵抗棒１２の取付部１２ａと上板部２１ａは側面視略平行には位置されることになる。前記斜板部２１ｂは後面視下側が狭くなる略台形状に形成されて、上板部２１ａの下端から斜め後下方に延設され、前記抵抗棒１２の延設部１２ｂの下方位置で側面視略平行に取り付けられる。前記底板部２１ｃは四角形状に形成されて、前記斜板部２１ｂの下端より後方に略水平方向に延設され、該底板部２１ｃの前部左右中央に抵抗棒１２の接地部１２ｃを貫通できるように、抵抗棒１２の断面形状に合わせた嵌挿孔２１ｄが開口されている。
【００１８】
次に、側板２２Ｌ・２２Ｒ及び上面鎮圧側板２３Ｌ・２３Ｒは左右対称に構成されるため、左側について説明する。
前記側板２２Ｌは側面視略六角形状で、上部が後面視略「く」字状に折り曲げ形成されている。つまり、側板２２Ｌは上部で「く」字状に折り曲げられた上板部２２ａと下板部２２ｂにより構成し、上板部２２ａは略三角形状に形成された板材で構成されて、上板部２２ａの前辺が前記前面板２１の上板部２１ａの側部に溶接等で固設され、上板部２２ａの下辺より下板部２２ｂが斜め後下方に延設される。該下板部２２ｂの前辺が前記斜板部２１ｂの側辺に溶接等で固設される。前記上板部２１ａには上面鎮圧側板２３Ｌを取り付けるためのボルト孔が開口されている。
【００１９】
前記上面鎮圧側板２３Ｌは前記側板２２Ｌの外側面に着脱可能に取り付けられる。詳しくは、上面鎮圧側板２３Ｌは本体２３ａと取付部２３ｂとからなり、本体２３ａは板材を側面視略逆「へ」字状に折り曲げ形成して後斜め下方へ延設している。但し、本体２３ａは側面視円弧状に折り曲げてもよい。該本体２３ａの内側端に取付部２３ｂが一体的に折り曲げて、または、溶接等により固設して設けられている。該取付部２３ｂにはボルト孔が前記上板部２１ａに設けたボルト孔に合わせて開口されて、取付部２３ｂと上板部２１ａがボルトにより着脱可能に固設されている。但し、取付部２３ｂと上板部２１ａは溶接等により固設してもよく、固定構造は限定するものではない。また、二つのボルト孔の一方を他方のボルト孔を中心とした円弧状の長孔に形成して、上面鎮圧側板２３Ｌの上下角度を変更可能に取付固定できるように構成することもできる。
【００２０】
このような構成において、管理機１により耕耘作業を行う場合には、作業機取付体１１に抵抗棒１２を取り付けて、管理機１を前進させながら、ハンドル８を押し下げて抵抗棒１２を土中に食い込ませることにより、耕耘爪７が土中に入り込んで回転して耕耘作業を行うことができる。
【００２１】
次に、本発明の培土板１３を抵抗棒１２に装着して、耕耘しながら溝成形（畝立て）作業をする場合について説明する。
前記培土板１３は抵抗棒１２の側方より前側に回しながら、固定部１４の開放側を抵抗棒１２の取付部１２ａに嵌め込む。そして、抵抗棒１２の下端の接地部１２ｃを前記前面板２１の底板部２１ｃに形成した嵌挿孔２１ｄに挿入し、成形板１５の高さを調節し、成形板１５を前後方向を向いた状態で、蝶螺子１６を締め付けて固定する。こうして、培土板１３は前上部左右中央と、後下部左右中央部が抵抗棒１２に支持されて、簡単な構造で容易に取り付けることが可能となる。
【００２２】
この状態で、耕耘しながら前進すると、前面板２１と側板２２Ｌ・２２Ｒにより耕耘後の土が左右に押し退けられて、図４に示すような溝３０が圃場に形成される。そして、溝３０の両側上部、所謂、肩部３０ａ・３０ａは上面鎮圧側板２３Ｌ・２３Ｒにより下方へ押し付けられる。こうして、前進して溝成形するときには、該上面鎮圧側板２３Ｌ・２３Ｒと側板２２Ｌ・２２Ｒにより肩部３０ａ・３０ａが押し固められて、雨等によっても崩れにくく成形することができるのである。
【００２３】
また、圃場の土の硬軟により、所望の砕土、または、所望の溝深さが得られないときがある。このときは、抵抗棒１２の接地部１２ｃの下端が底板部２１ｃの下面より突出する長さＨ（図２）を変更する。つまり、蝶螺子１６を緩めて培土板１３を持ち上げて、接地部１２ｃの下端が底板部２１ｃの下面より突出する長さＨを長くして、蝶螺子１６を締め付け固定すると、走行抵抗が増加する。逆に、蝶螺子１６を緩めて培土板１３を下げて、接地部１２ｃの下端が底板部２１ｃの下面より突出する長さＨを短くして、蝶螺子１６を締め付け固定すると、走行抵抗が減少する。こうして、培土板１３の取付高さを変更して走行抵抗を調節することができる。
【００２４】
以上のように、管理機１の機体後部から後下方に突出して配置し、該管理機１の走行に抵抗を付与する抵抗棒１２に取り付けられる培土板１３であって、該培土板１３は、前記抵抗棒１２の前上部に上下位置調節可能に固定するための固定部１４と、前記抵抗棒１２の後下部に上下方向に嵌挿するための嵌挿孔２１ｄを備えたので、培土板１３は抵抗棒１２の前上部と後下部の二点で支持されて、取り付けられ、作業中も安定して抵抗棒１２に保持される。また、培土板１３には管理機１の作業機取付体１１に装着するための支持杆が不要となるため、コンパクトに構成されて、軽量化を図ることができる。そして、培土板１３は上下に位置調整して抵抗棒１２に固定できるため、抵抗棒１２の下端が培土板１３の底面より突出する長さＨを調節して、走行抵抗を調節することができ、圃場の土の硬軟に合わせて培土板１３による溝深さや耕耘による土の砕土状態を調節することができる。
【００２５】
また、前記固定部１４は、側方を開放した平面視略「コ」状のブラケットにより構成し、該ブラケットに抵抗棒１２の上部を側方より嵌合して固定部材となる蝶螺子１６により固定するので、抵抗棒１２に対して、培土板１３の固定部１４を側方より嵌合して固定でき、作業時に前後方向にかかる力を確実に受け止めることができるとともに、抵抗棒１２の下から培土板１３を取り付ける必要がなくなり、管理機１を持ち上げることなく簡単に培土板１３を取り付けることができる。
【００２６】
また、前記培土板１３は、前記固定部１４と前記嵌挿孔２１ｄを備えて抵抗棒１２に取り付けたときに前上部から後下部へ延設される前面板２１と、該前面板２１の両側から後外側方へ延設される左右の側板２２Ｌ・２２Ｒと、該側板２２Ｌ・２２Ｒの上部の外側面から側方へ突設し、かつ、斜め後下方へ延設される上面鎮圧側板２３Ｌ・２３Ｒとを備えるので、培土板１３の前面板２１は抵抗棒１２に沿って上下方向に移動させて高さ調節ができ、側板２２Ｌ・２２Ｒと上面鎮圧側板２３Ｌ・２３Ｒとにより成形した溝３０の左右両側上部の肩部３０ａを固く押さえつけることができて、雨等で崩れることを防止できる。
【図面の簡単な説明】
【００２７】
【図１】本発明の培土板を抵抗棒に装着した管理機の全体側面図。
【図２】本発明の抵抗棒に装着した培土板の側面断面図。
【図３】同じく後方斜視図。
【図４】本発明の培土板で形成した溝を示す断面図。
【符号の説明】
【００２８】
１    管理機
１２  抵抗棒
１３  培土板
１４  固定部
１６  蝶螺子
２１  前面板
２１ｄ  嵌挿孔
２２Ｌ・２２Ｒ  側板
２３Ｌ・２３Ｒ  上面鎮圧側板
３０  溝
３０ａ  肩部
【図１】
0004961365.tif 000002
【図２】
0004961365.tif 000003
【図３】
0004961365.tif 000004
【図４】
0004961365.tif 000005